(57)【要約】【課題】定められた記憶容量より大容量のデータが書き込まれる光ディスク、光ディスクに定められた記憶容量より大容量のデータを書き込むことが可能な光ディスク装置および光ディスクの書き込み方法、ならびに、定められた記憶容量より大容量のデータが書き込まれた光ディスクからデータを読み出す光ディスク装置および光ディスクの読み出し方法を提供する。【解決手段】光ディスクＤを回転させて読み取ったウォブルの周期が所定周期となるように、該光ディスクＤの回転速度を制御するウォブルＣＬＶ制御ステップと、該ウォブルＣＬＶ制御ステップによって回転制御されている前記光ディスクＤに、前記ウォブルの前記所定周期から定められるデータの記録周期とは異なる記録周期で、データを書き込むことで、プリフォーマット情報によって定められる記録密度とは異なる記録密度でデータを書き込むデータ書き込みステップとを含む。【選択図】          図２
2004246950.tif 000002
【特許請求の範囲】
【請求項１】
記録溝に予め記録されたプリフォーマット情報によって、書き込まれるデータの記録密度が定められる、データを書き込み可能な光ディスクにおいて、
前記プリフォーマット情報によって定められる前記記録密度とは異なる記録密度で、データが書き込まれていることを特徴とする光ディスク。
【請求項２】
前記データの記録密度は、前記プリフォーマット情報によって定められる記録密度より高密度であることを特徴とする請求項１記載の光ディスク。
【請求項３】
記録溝に予め記録されたプリフォーマット情報によって、書き込まれるデータの記録密度が定められる、データを書き込み可能な光ディスクに、データを書き込む光ディスク装置において、
前記プリフォーマット情報によって定められる前記記録密度とは異なる記録密度で、前記光ディスクにデータを書き込むデータ書き込み手段を備えることを特徴とする光ディスク装置。
【請求項４】
前記プリフォーマット情報は、記録溝に一定波長で形成されたウォブルによって表現されて成り、
前記光ディスクを回転させて読み取った前記ウォブルの周期が所定周期となるように、該光ディスクの回転速度を制御するウォブルＣＬＶ制御手段を備え、
前記データ書き込み手段は、前記ウォブルＣＬＶ制御手段によって回転制御される前記光ディスクに、前記ウォブルの前記所定周期から定められるデータの記録周期とは異なる記録周期で、データを書き込むことで、前記プリフォーマット情報によって定められる前記記録密度とは異なる記録密度でデータを書き込むことを特徴とする請求項３記載の光ディスク装置。
【請求項５】
前記データ書き込み手段は、前記光ディスクに、前記ウォブルの前記所定周期から定められるデータの記録周期より短い記録周期でデータを書き込むことで、前記プリフォーマット情報によって定められる記録密度より高密度にデータを書き込むことを特徴とする請求項４記載の光ディスク装置。
【請求項６】
記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスク装置において、
前記光ディスクからデータを読み出す前に、該光ディスクの記録溝の所定位置のプリフォーマット情報により表される位置情報と、該所定位置のデータのサブコードに含まれる位置情報とを読み取り、該プリフォーマット情報の位置情報と該サブコードの位置情報とが一致するか否かを判定する位置情報判定手段と、
該位置情報判定手段によって、前記プリフォーマット情報の位置情報と前記サブコードの位置情報とが一致すると判定された場合には、プリフォーマット情報および／またはＨＦ信号に基づいて前記光ディスクのデータを読み出し、前記位置情報判定手段によって、前記プリフォーマット情報の位置情報と前記サブコードの位置情報とが一致しないと判定された場合には、前記光ディスクから読み取られるＨＦ信号に基づいて該光ディスクのデータを読み出すデータ読み出し手段とを備えることを特徴とする光ディスク装置。
【請求項７】
記録溝に一定波長で形成されたウォブルによって表現され記録溝上の位置情報を表すプリフォーマット情報が、記録溝に予め記録され、記録溝上の位置情報を含むサブコードが付加されたデータを記録溝に書き込み可能な光ディスクから、書き込まれたデータを読み出す光ディスク装置において、
前記光ディスクを回転させて読み取った前記ウォブルの周期が所定周期となるように、該光ディスクの回転速度を制御するウォブルＣＬＶ制御手段と、
前記光ディスクを回転させて読み取った、前記書き込まれたデータのＨＦ信号の周期が、前記所定周期となるように、該光ディスクの回転速度を制御するＨＦ信号ＣＬＶ制御手段と、
前記ウォブルＣＬＶ制御手段によって回転された前記光ディスクの線速度と、前記ＨＦ信号ＣＬＶ制御手段によって回転された該光ディスクの線速度とが一致するか否かを判定する線速度判定手段と、
該線速度判定手段によって、前記ウォブルＣＬＶ制御手段による回転における前記光ディスクの線速度と、前記ＨＦ信号ＣＬＶ制御手段による回転における該光ディスクの線速度とが一致すると判定された場合には、プリフォーマット情報および／またはＨＦ信号に基づいて該光ディスクのデータを読み出し、前記線速度判定手段によって、前記ウォブルＣＬＶ制御手段による回転における前記光ディスクの線速度と、前記ＨＦ信号ＣＬＶ制御手段による回転における該光ディスクの線速度とが一致しないと判定された場合には、該光ディスクから読み取られるＨＦ信号に基づいて該光ディスクのデータを読み出すデータ読み出し手段とを備えることを特徴とする光ディスク装置。
【請求項８】
記録溝に一定波長で形成されたウォブルによって表現され記録溝上の位置情報を表すプリフォーマット情報が、記録溝に予め記録され、記録溝上の位置情報を含むサブコードが付加されたデータを記録溝に書き込み可能な光ディスクから、書き込まれたデータを読み出す光ディスク装置において、
前記光ディスクを所定の角速度で回転させるＣＡＶ制御手段と、
該ＣＡＶ制御手段によって前記所定の角速度で回転された前記光ディスクの記録溝の所定位置の前記ウォブルの周期を測定するウォブル周期測定手段と、
前記ＣＡＶ制御手段によって前記所定の角速度で回転された前記光ディスクの記録溝の前記所定位置のＨＦ信号の周期を測定するＨＦ信号周期測定手段と、
前記ウォブル周期測定手段によって測定された前記ウォブルの周期と、前記ＨＦ信号周期測定手段によって測定された前記ＨＦ信号の周期とが一致するか否かを判定する信号周期判定手段と、
該信号周期判定手段によって、前記ウォブルの周期と前記ＨＦ信号の周期とが一致すると判定された場合には、プリフォーマット情報および／またはＨＦ信号に基づいて前記光ディスクのデータを読み出し、前記信号周期判定手段によって、前記ウォブルの周期と前記ＨＦ信号の周期とが一致しないと判定された場合には、前記光ディスクから読み取られるＨＦ信号に基づいて該光ディスクのデータを読み出すデータ読み出し手段とを備えることを特徴とする光ディスク装置。
【請求項９】
記録溝に予め一定波長で形成されたウォブルにより表現されたプリフォーマット情報によって、書き込まれるデータの記録密度が定められる、データを書き込み可能な光ディスクに、データを書き込む光ディスクの書き込み方法において、
前記光ディスクを回転させて読み取った前記ウォブルの周期が所定周期となるように、該光ディスクの回転速度を制御するウォブルＣＬＶ制御ステップと、
該ウォブルＣＬＶ制御ステップによって回転制御されている前記光ディスクに、前記ウォブルの前記所定周期から定められるデータの記録周期とは異なる記録周期で、データを書き込むことで、前記プリフォーマット情報によって定められる前記記録密度とは異なる記録密度でデータを書き込むデータ書き込みステップとを含むことを特徴とする光ディスクの書き込み方法。
【請求項１０】
前記データ書き込みステップは、前記光ディスクに、前記ウォブルの前記所定周期から定められるデータの記録周期より短い記録周期でデータを書き込むことで、前記プリフォーマット情報によって定められる記録密度より高密度にデータを書き込むことを特徴とする請求項９記載の光ディスクの書き込み方法。
【請求項１１】
記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、
前記光ディスクからデータを読み出す前に、該光ディスクの記録溝の所定位置のプリフォーマット情報により表される位置情報と、該所定位置のデータのサブコードに含まれる位置情報とを読み取り、該プリフォーマット情報の位置情報と該サブコードの位置情報とが一致するか否かを判定する位置情報判定ステップと、
該位置情報判定ステップによって、前記プリフォーマット情報の位置情報と前記サブコードの位置情報とが一致すると判定された場合には、プリフォーマット情報および／またはＨＦ信号に基づいて前記光ディスクのデータを読み出し、前記位置情報判定ステップによって、前記プリフォーマット情報の位置情報と前記サブコードの位置情報とが一致しないと判定された場合には、前記光ディスクから読み取られるＨＦ信号に基づいて該光ディスクのデータを読み出すデータ読み出しステップとを含むことを特徴とする光ディスクの読み出し方法。
【請求項１２】
記録溝に一定波長で形成されたウォブルによって表現され記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、
前記光ディスクを回転させて読み取った前記ウォブルの周期が所定周期となるように、該光ディスクの回転速度を制御するウォブルＣＬＶ制御ステップと、
前記光ディスクを回転させて読み取った、前記書き込まれたデータのＨＦ信号の周期が、前記所定周期となるように、該光ディスクの回転速度を制御するＨＦ信号ＣＬＶ制御ステップと、
前記ウォブルＣＬＶ制御ステップによって回転された前記光ディスクの線速度と、前記ＨＦ信号ＣＬＶ制御ステップによって回転された該光ディスクの線速度とが一致するか否かを判定する線速度判定ステップと、
該線速度判定ステップによって、前記ウォブルＣＬＶ制御ステップによる回転における前記光ディスクの線速度と、前記ＨＦ信号ＣＬＶ制御ステップによる回転における該光ディスクの線速度とが一致すると判定された場合には、プリフォーマット情報および／またはＨＦ信号に基づいて該光ディスクのデータを読み出し、前記線速度判定ステップによって、前記ウォブルＣＬＶ制御ステップによる回転における前記光ディスクの線速度と、前記ＨＦ信号ＣＬＶ制御ステップによる回転における該光ディスクの線速度とが一致しないと判定された場合には、該光ディスクから読み取られるＨＦ信号に基づいて該光ディスクのデータを読み出すデータ読み出しステップとを含むことを特徴とする光ディスクの読み出し方法。
【請求項１３】
記録溝に一定波長で形成されたウォブルによって表現され記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、
前記光ディスクを所定の角速度で回転させるＣＡＶ制御ステップと、
該ＣＡＶ制御ステップによって回転された前記光ディスクの記録溝の所定位置の前記ウォブルの周期を測定するウォブル周期測定ステップと、
前記ＣＡＶ制御ステップによって回転された前記光ディスクの記録溝の前記所定位置のＨＦ信号の周期を測定するＨＦ信号周期測定ステップと、
前記ウォブル周期測定ステップによって測定された前記ウォブルの周期と、前記ＨＦ信号周期測定ステップによって測定された前記ＨＦ信号の周期とが一致するか否かを判定する信号周期判定ステップと、
該信号周期判定ステップによって、前記ウォブルの周期と前記ＨＦ信号の周期とが一致すると判定された場合には、プリフォーマット情報および／またはＨＦ信号に基づいて前記光ディスクのデータを読み出し、前記信号周期判定ステップによって、前記ウォブルの周期と前記ＨＦ信号の周期とが一致しないと判定された場合には、前記光ディスクから読み取られるＨＦ信号に基づいて該光ディスクのデータを読み出すデータ読み出しステップとを含むことを特徴とする光ディスクの読み出し方法。
【発明の詳細な説明】
【０００１】
【発明の属する技術分野】
本発明は、データを書き込み可能な光ディスク、ならびに、データを書き込み可能な光ディスクにデータを読み書きするための、光ディスク装置、光ディスクの書き込み方法および光ディスクの読み出し方法に関する。
【０００２】
【従来の技術】
近年、長時間の音楽や映像、またはコンピュータ等で扱う大容量のデータ等を、書き込んで保存するのに適した媒体として、ＣＤ−Ｒ、ＣＤ−ＲＷ、ＤＶＤ−Ｒ、ＤＶＤ−ＲＷ等といった、書き込み可能な光ディスクが広く使用されている。
【０００３】
一例として、ＣＤ−ＲやＣＤ−ＲＷにデータを書き込む方法は、いわゆるオレンジブックに規定されている。
ＣＤ−ＲやＣＤ−ＲＷ（以下、単にＣＤ−Ｒと呼ぶ）の記録溝は、データを書き込む前から、予め、ほぼ一定の波長（平均２７μｍ）でわずかに波うって形成されている（図９参照）。この波うった形状は、「ウォブル」と呼ばれている。ウォブルは、ＣＤ−Ｒの記録溝全体にわたって形成されている。ウォブルは、ＦＭ変調された波形に形成され、記録溝上の各位置のウォブルの波形を復調することにより、記録溝のその位置の位置情報（時間情報）を表すＡＴＩＰアドレス（プリフォーマット情報）を読み出すことができる（非特許文献１参照）。
【０００４】
オレンジブックにおいては、ＡＴＩＰアドレスの位置情報に従って、その位置に合致するように、所定単位（サイズ）のデータ（サブコーディングフレーム）を書き込むよう規定されている。こうすることで、ＣＤ−Ｒには、ＡＴＩＰアドレスが表す位置情報と、書き込まれたデータ（サブコーディングフレーム）のサブコード（サブコードＱ）に含まれる位置情報とが一致して、データが書き込まれる。
【０００５】
ＣＤ−Ｒに、データを、ＡＴＩＰアドレスに合うように書き込むためには、一定波長で形成されたウォブルの波形（周期）を基準にデータを書き込めばよい。
従来、一般的に、ＣＤ−Ｒドライブ等の光ディスク装置は、ウォブルの波形（周期）に合わせてデータを書き込むために、以下の方法で光ディスクにデータを書き込んでいる。即ち、光ディスクを回転させて、光ディスクの記録溝上の記録状態を読み取るピックアップで、ウォブルの波うちの周期（いわゆるウォブル信号の周期）を観測し、ウォブル信号が一定周期となるように、光ディスクの回転速度を制御することで、光ディスクのＣＬＶ制御を行う。光ディスクをＣＬＶ制御した状態で、そのウォブル信号の周期に合った所定の周期（記録周期）で、光ディスクにデータを書き込む。こうすることで、一定波長のウォブルに対して、一定の記録密度でデータを書き込むことができる。
【０００６】
また、データが書き込まれたＣＤ−ＲやＣＤ−ＲＷからデータを読み出す際には、光ディスク装置は、ＡＴＩＰやサブコードに含まれる位置情報に基づいて、読み出すべきデータの、光ディスク上の位置を認識している。
【０００７】
なお、書き込み可能な光ディスクに、データの書き込み位置を定めるために予め記録されたプリフォーマット情報の形態は、光ディスクの種類によって異なる。例えば、ＣＤ−ＲやＣＤ−ＲＷでは、前述の通り、プリフォーマット情報は、ウォブルによって表現されたＡＴＩＰアドレスである。また、ＤＶＤ＋ＲおよびＤＶＤ＋ＲＷにおいては、プリフォーマット情報は、ウォブルによって表現されたＡＤＩＰアドレスである。また、ＤＶＤ−ＲおよびＤＶＤ−ＲＷでおいては、プリフォーマット情報は、ディスク記録面のランド内のプリピット（ＬＰＰ）で表現されたＡＤＩＰアドレスである。
本詳細な説明において、プリフォーマット情報とは、これらの、ウォブルによって表現されたＡＴＩＰアドレスや、ウォブルまたはプリピットによって表現されたＡＤＩＰアドレス等を含む。
【０００８】
【非特許文献１】
中島  平太郎・井橋  孝夫・小川  博司  共著、初版、「総合マルチメディア選書  ＣＤファミリー」、日本、株式会社オーム社、平成８年４月２５日、ｐ．７０−７２
【０００９】
【発明が解決しようとする課題】
しかしながら、オレンジブックの規定に基づく従来の光ディスクの書き込み方法によると、データは、光ディスクにあらかじめ形成されたウォブル信号の周期にあった周期で（即ちＡＴＩＰ等のプリフォーマット情報の位置情報に従って）書き込まれるため、光ディスクに、予め定められた記憶容量より大きい容量のデータを書き込むことができないという課題がある。例えば、ＣＤ−Ｒ等の光ディスクの記録容量として定められた、６５０ＭＢ（音楽データ７４分相当）あるいは７００ＭＢ（音楽データ８０分相当）といった定格容量より大きい容量のデータを書き込むことができず、より長時間の音楽や、より大容量のデータを光ディスクに保存することができないという課題がある。
【００１０】
本発明は、上記課題を解決すべくなされ、その目的とするところは、定められた記憶容量より大容量のデータが書き込まれる光ディスク、光ディスクに定められた記憶容量より大容量のデータを書き込むことが可能な光ディスク装置および光ディスクの書き込み方法、ならびに、定められた記憶容量より大容量のデータが書き込まれた光ディスクからデータを読み出す光ディスク装置および光ディスクの読み出し方法を提供することにある。
【００１１】
【課題を解決するための手段】
本発明に係る光ディスクは、上記課題を解決するために、以下の構成を備える。すなわち、記録溝に予め記録されたプリフォーマット情報によって、書き込まれるデータの記録密度が定められる、データを書き込み可能な光ディスクにおいて、前記プリフォーマット情報によって定められる前記記録密度とは異なる記録密度で、データが書き込まれていることを特徴とする。
これによれば、プリフォーマット情報によって定められる記録容量とは異なる容量のデータが書き込まれた光ディスクを得ることができる。
【００１２】
また、前記データの記録密度は、前記プリフォーマット情報によって定められる記録密度より高密度であることを特徴とする。
これによれば、プリフォーマット情報によって定められる記録容量より大容量のデータが書き込まれた光ディスクを得ることができる。
【００１３】
また、本発明に係る光ディスク装置は、上記課題を解決するために、以下の構成を備える。即ち、記録溝に予め記録されたプリフォーマット情報によって、書き込まれるデータの記録密度が定められる、データを書き込み可能な光ディスクに、データを書き込む光ディスク装置において、前記プリフォーマット情報によって定められる前記記録密度とは異なる記録密度で、前記光ディスクにデータを書き込むデータ書き込み手段を備えることを特徴とする。
これによれば、光ディスクに、プリフォーマット情報によって定められる記録容量とは異なる容量のデータを書き込むことができる。
【００１４】
また、前記プリフォーマット情報は、記録溝に一定波長で形成されたウォブルによって表現されて成り、前記光ディスクを回転させて読み取った前記ウォブルの周期が所定周期となるように、該光ディスクの回転速度を制御するウォブルＣＬＶ制御手段を備え、前記データ書き込み手段は、前記ウォブルＣＬＶ制御手段によって回転制御される前記光ディスクに、前記ウォブルの前記所定周期から定められるデータの記録周期とは異なる記録周期で、データを書き込むことで、前記プリフォーマット情報によって定められる前記記録密度とは異なる記録密度でデータを書き込むことを特徴とする。
これによれば、一定の線速度で回転する光ディスクに、ウォブルの周期（ウォブル信号の周期）から定められる記録周期とは異なる周期でデータを書き込むため、プリフォーマット情報によって定められる記録容量とは異なる容量のデータを書き込むことができる。
【００１５】
さらに、前記データ書き込み手段は、前記光ディスクに、前記ウォブルの前記所定周期から定められるデータの記録周期より短い記録周期でデータを書き込むことで、前記プリフォーマット情報によって定められる記録密度より高密度にデータを書き込むことを特徴とする。
これによれば、光ディスクに、プリフォーマット情報によって定められる記録容量より大容量のデータを書き込むことができる。
【００１６】
また、記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスク装置において、前記光ディスクからデータを読み出す前に、該光ディスクの記録溝の所定位置のプリフォーマット情報により表される位置情報と、該所定位置のデータのサブコードに含まれる位置情報とを読み取り、該プリフォーマット情報の位置情報と該サブコードの位置情報とが一致するか否かを判定する位置情報判定手段と、該位置情報判定手段によって、前記プリフォーマット情報の位置情報と前記サブコードの位置情報とが一致すると判定された場合には、プリフォーマット情報および／またはＨＦ信号に基づいて前記光ディスクのデータを読み出し、前記位置情報判定手段によって、前記プリフォーマット情報の位置情報と前記サブコードの位置情報とが一致しないと判定された場合には、前記光ディスクから読み取られるＨＦ信号に基づいて該光ディスクのデータを読み出すデータ読み出し手段とを備えることを特徴とする。
これによれば、プリフォーマット情報の位置情報とサブコードの位置情報とが一致しているか否か（ずれているか否か）をチェックすることで、光ディスクに、プリフォーマット情報によって定められる記憶密度でデータが書き込まれているか否かを判断することができる。プリフォーマット情報の位置情報とサブコードの位置情報との間にずれがある場合には、プリフォーマット情報によって定められる記憶密度とは異なる記録密度でデータが書き込まれていると判断して、ＨＦ信号に基づいてデータを読み出すことで、記録溝上のデータの記録位置を正確に把握して、正常にデータを読み出すことができる。
【００１７】
また、記録溝に一定波長で形成されたウォブルによって表現され記録溝上の位置情報を表すプリフォーマット情報が、記録溝に予め記録され、記録溝上の位置情報を含むサブコードが付加されたデータを記録溝に書き込み可能な光ディスクから、書き込まれたデータを読み出す光ディスク装置において、前記光ディスクを回転させて読み取った前記ウォブルの周期が所定周期となるように、該光ディスクの回転速度を制御するウォブルＣＬＶ制御手段と、前記光ディスクを回転させて読み取った、前記書き込まれたデータのＨＦ信号の周期が、前記所定周期となるように、該光ディスクの回転速度を制御するＨＦ信号ＣＬＶ制御手段と、前記ウォブルＣＬＶ制御手段によって回転された前記光ディスクの線速度と、前記ＨＦ信号ＣＬＶ制御手段によって回転された該光ディスクの線速度とが一致するか否かを判定する線速度判定手段と、該線速度判定手段によって、前記ウォブルＣＬＶ制御手段による回転における前記光ディスクの線速度と、前記ＨＦ信号ＣＬＶ制御手段による回転における該光ディスクの線速度とが一致すると判定された場合には、プリフォーマット情報および／またはＨＦ信号に基づいて該光ディスクのデータを読み出し、前記線速度判定手段によって、前記ウォブルＣＬＶ制御手段による回転における前記光ディスクの線速度と、前記ＨＦ信号ＣＬＶ制御手段による回転における該光ディスクの線速度とが一致しないと判定された場合には、該光ディスクから読み取られるＨＦ信号に基づいて該光ディスクのデータを読み出すデータ読み出し手段とを備えることを特徴とする。
これによれば、光ディスクを、ウォブル信号に基づいてＣＬＶ制御を行った場合と、ＨＦ信号に基づいてＣＬＶ制御した場合の線速度を比較することで、ウォブルの周期とＨＦ信号の周期とが一致する、即ち、光ディスクに、ウォブルの波長（プリフォーマット情報）によって定められる記憶密度でデータが書き込まれているか、否かを判断することができる。それらの線速度の間に違いがある場合には、ウォブルの波長（プリフォーマット情報）によってによって定められる記憶密度とは異なる記憶密度でデータが書き込まれていると判断して、ＨＦ信号に基づいてデータを読み出すことで、記録溝上のデータの記録位置を正確に把握して、正常にデータを読み出すことができる。
【００１８】
また、記録溝に一定波長で形成されたウォブルによって表現され記録溝上の位置情報を表すプリフォーマット情報が、記録溝に予め記録され、記録溝上の位置情報を含むサブコードが付加されたデータを記録溝に書き込み可能な光ディスクから、書き込まれたデータを読み出す光ディスク装置において、前記光ディスクを所定の角速度で回転させるＣＡＶ制御手段と、該ＣＡＶ制御手段によって前記所定の角速度で回転された前記光ディスクの記録溝の所定位置の前記ウォブルの周期を測定するウォブル周期測定手段と、前記ＣＡＶ制御手段によって前記所定の角速度で回転された前記光ディスクの記録溝の前記所定位置のＨＦ信号の周期を測定するＨＦ信号周期測定手段と、前記ウォブル周期測定手段によって測定された前記ウォブルの周期と、前記ＨＦ信号周期測定手段によって測定された前記ＨＦ信号の周期とが一致するか否かを判定する信号周期判定手段と、該信号周期判定手段によって、前記ウォブルの周期と前記ＨＦ信号の周期とが一致すると判定された場合には、プリフォーマット情報および／またはＨＦ信号に基づいて前記光ディスクのデータを読み出し、前記信号周期判定手段によって、前記ウォブルの周期と前記ＨＦ信号の周期とが一致しないと判定された場合には、前記光ディスクから読み取られるＨＦ信号に基づいて該光ディスクのデータを読み出すデータ読み出し手段とを備えることを特徴とする。
これによれば、光ディスクをＣＡＶ制御した状態で、記録溝上の所定位置のウォブル信号の周期とＨＦ信号の周期とを比較することで、ウォブルの周期とＨＦ信号の周期と一致する、即ち、光ディスクに、ウォブルの波長（プリフォーマット情報）によって定められる記憶密度でデータが書き込まれているか、否かを判断することができる。それらの周期の間に違いがある場合には、ウォブルの波長（プリフォーマット情報）によってによって定められる記憶密度とは異なる記憶密度でデータが書き込まれていると判断して、ＨＦ信号に基づいてデータを読み出すことで、記録溝上のデータの記録位置を正確に把握して、正常にデータを読み出すことができる。
【００１９】
また、本発明に係る光ディスクの書き込み方法は、上記課題を解決するために、以下の構成を備える。即ち、記録溝に予め一定波長で形成されたウォブルにより表現されたプリフォーマット情報によって、書き込まれるデータの記録密度が定められる、データを書き込み可能な光ディスクに、データを書き込む光ディスクの書き込み方法において、前記光ディスクを回転させて読み取った前記ウォブルの周期が所定周期となるように、該光ディスクの回転速度を制御するウォブルＣＬＶ制御ステップと、該ウォブルＣＬＶ制御ステップによって回転制御されている前記光ディスクに、前記ウォブルの前記所定周期から定められるデータの記録周期とは異なる記録周期で、データを書き込むことで、前記プリフォーマット情報によって定められる前記記録密度とは異なる記録密度でデータを書き込むデータ書き込みステップとを含むことを特徴とする。
これによれば、一定の線速度で回転する光ディスクに、ウォブルの周期（ウォブル信号の周期）から定められる記録周期とは異なる周期でデータを書き込むため、プリフォーマット情報によって定められる記録容量とは異なる容量のデータを書き込むことができる。
【００２０】
さらに、前記データ書き込みステップは、前記光ディスクに、前記ウォブルの前記所定周期から定められるデータの記録周期より短い記録周期でデータを書き込むことで、前記プリフォーマット情報によって定められる記録密度より高密度にデータを書き込むことを特徴とする。
これによれば、光ディスクに、プリフォーマット情報によって定められる記録容量より大容量のデータを書き込むことができる。
【００２１】
また、本発明に係る光ディスクの読み出し方法は、上記課題を解決するために、以下の構成を備える。即ち、記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、前記光ディスクからデータを読み出す前に、該光ディスクの記録溝の所定位置のプリフォーマット情報により表される位置情報と、該所定位置のデータのサブコードに含まれる位置情報とを読み取り、該プリフォーマット情報の位置情報と該サブコードの位置情報とが一致するか否かを判定する位置情報判定ステップと、該位置情報判定ステップによって、前記プリフォーマット情報の位置情報と前記サブコードの位置情報とが一致すると判定された場合には、プリフォーマット情報および／またはＨＦ信号に基づいて前記光ディスクのデータを読み出し、前記位置情報判定ステップによって、前記プリフォーマット情報の位置情報と前記サブコードの位置情報とが一致しないと判定された場合には、前記光ディスクから読み取られるＨＦ信号に基づいて該光ディスクのデータを読み出すデータ読み出しステップとを含むことを特徴とする。
これによれば、プリフォーマット情報の位置情報とサブコードの位置情報とが一致しているか否か（ずれているか否か）をチェックすることで、光ディスクに、プリフォーマット情報によって定められる記憶密度でデータが書き込まれているか否かを判断することができる。プリフォーマット情報の位置情報とサブコードの位置情報との間にずれがある場合には、プリフォーマット情報によって定められる記憶密度とは異なる記録密度でデータが書き込まれていると判断して、ＨＦ信号に基づいてデータを読み出すことで、記録溝上のデータの記録位置を正確に把握して、正常にデータを読み出すことができる。
【００２２】
また、記録溝に一定波長で形成されたウォブルによって表現され記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、前記光ディスクを回転させて読み取った前記ウォブルの周期が所定周期となるように、該光ディスクの回転速度を制御するウォブルＣＬＶ制御ステップと、前記光ディスクを回転させて読み取った、前記書き込まれたデータのＨＦ信号の周期が、前記所定周期となるように、該光ディスクの回転速度を制御するＨＦ信号ＣＬＶ制御ステップと、前記ウォブルＣＬＶ制御ステップによって回転された前記光ディスクの線速度と、前記ＨＦ信号ＣＬＶ制御ステップによって回転された該光ディスクの線速度とが一致するか否かを判定する線速度判定ステップと、該線速度判定ステップによって、前記ウォブルＣＬＶ制御ステップによる回転における前記光ディスクの線速度と、前記ＨＦ信号ＣＬＶ制御ステップによる回転における該光ディスクの線速度とが一致すると判定された場合には、プリフォーマット情報および／またはＨＦ信号に基づいて該光ディスクのデータを読み出し、前記線速度判定ステップによって、前記ウォブルＣＬＶ制御ステップによる回転における前記光ディスクの線速度と、前記ＨＦ信号ＣＬＶ制御ステップによる回転における該光ディスクの線速度とが一致しないと判定された場合には、該光ディスクから読み取られるＨＦ信号に基づいて該光ディスクのデータを読み出すデータ読み出しステップとを含むことを特徴とする。
これによれば、光ディスクを、ウォブル信号に基づいてＣＬＶ制御を行った場合と、ＨＦ信号に基づいてＣＬＶ制御した場合の線速度を比較することで、ウォブルの周期とＨＦ信号の周期と一致する、即ち、光ディスクに、ウォブルの波長（プリフォーマット情報）によって定められる記憶密度でデータが書き込まれているか、否かを判断することができる。それらの線速度の間に違いがある場合には、ウォブルの波長（プリフォーマット情報）によってによって定められる記憶密度とは異なる記憶密度でデータが書き込まれていると判断して、ＨＦ信号に基づいてデータを読み出すことで、記録溝上のデータの記録位置を正確に把握して、正常にデータを読み出すことができる。
【００２３】
また、記録溝に一定波長で形成されたウォブルによって表現され記録溝上の位置情報を表すプリフォーマット情報が記録溝に予め記録され、記録溝上の位置情報を含むサブコードが付加されたデータを記録溝に書き込み可能な光ディスクから、書き込まれたデータを読み出す光ディスクの読み出し方法において、前記光ディスクを所定の角速度で回転させるＣＡＶ制御ステップと、該ＣＡＶ制御ステップによって回転された前記光ディスクの記録溝の所定位置の前記ウォブルの周期を測定するウォブル周期測定ステップと、前記ＣＡＶ制御ステップによって回転された前記光ディスクの記録溝の前記所定位置のＨＦ信号の周期を測定するＨＦ信号周期測定ステップと、前記ウォブル周期測定ステップによって測定された前記ウォブルの周期と、前記ＨＦ信号周期測定ステップによって測定された前記ＨＦ信号の周期とが一致するか否かを判定する信号周期判定ステップと、該信号周期判定ステップによって、前記ウォブルの周期と前記ＨＦ信号の周期とが一致すると判定された場合には、プリフォーマット情報および／またはＨＦ信号に基づいて前記光ディスクのデータを読み出し、前記信号周期判定ステップによって、前記ウォブルの周期と前記ＨＦ信号の周期とが一致しないと判定された場合には、前記光ディスクから読み取られるＨＦ信号に基づいて該光ディスクのデータを読み出すデータ読み出しステップとを含むことを特徴とする。
これによれば、光ディスクをＣＡＶ制御した状態で、記録溝上の所定位置のウォブル信号の周期とＨＦ信号の周期とを比較することで、ウォブルの周期とＨＦ信号の周期とが一致する、即ち、光ディスクに、ウォブルの波長（プリフォーマット情報）によって定められる記憶密度でデータが書き込まれているか、否かを判断することができる。それらの周期の間に違いがある場合には、ウォブルの波長（プリフォーマット情報）によってによって定められる記憶密度とは異なる記憶密度でデータが書き込まれていると判断して、ＨＦ信号に基づいてデータを読み出すことで、記録溝上のデータの記録位置を正確に把握して、正常にデータを読み出すことができる。
【００２４】
【発明の実施の形態】
以下、本発明に係る光ディスク、光ディスク装置、光ディスクの書き込み方法および光ディスクの読み出し方法の好適な実施の形態を、添付図面に基づいて詳細に説明する。
【００２５】
（第一の実施の形態）
図１は、本第一の実施の形態に係る光ディスク装置Ａの構成を表したブロック図である。
光ディスク装置Ａは、パーソナルコンピュータ等のホストコンピュータＨと通信可能に接続される。なお、光ディスク装置Ａは、必ずしもホストコンピュータＨと物理的に別体に設ける必要はなく、例えば、ホストコンピュータＨの筐体内に内蔵されて、ホストコンピュータＨ内で、ホストコンピュータＨのメインボード等と接続されていても良い。
【００２６】
光ディスク装置Ａの内部構成について、図１を用いて説明する。図１中、実線矢印は制御の流れを、破線矢印はデータや信号の流れを示している。
光ディスク装置Ａは、ＣＤ−Ｒ、ＣＤ−ＲＷ、ＤＶＤ−ＲやＤＶＤ−ＲＷ等の、データを書き込み可能な光ディスクＤを保持するディスク保持手段２２と、ディスク保持手段２２を介して光ディスクＤを回転させるスピンドルモータ２４と、光ディスクＤにレーザーを照射してその反射光を読み取るピックアップ２８等のハードウェアを備える。
【００２７】
また、光ディスク装置Ａは、ＣＰＵ、メモリ、論理回路およびファームウェア等によって構成される制御部１を有する。制御部１には、通信部２、コマンド解析実行手段４、データ読み出し手段８、位置情報判定手段１０、データ書き込み手段１２、モータドライバ２６、ピックアップドライバ３０およびウォブルＣＬＶ制御手段３２が含まれる。
【００２８】
スピンドルモータ２４を駆動制御するモータドライバ２６と、ピックアップ２８を位置制御およびレーザー照射制御するピックアップドライバ３０と、モータドライバ２６およびピックアップドライバ３０を介して光ディスクＤをＣＬＶ制御するウォブルＣＬＶ制御手段３２とにより、サーボドライバ１８が構成される。
【００２９】
通信部２は、ホストコンピュータＨから送信されてきたデータを受信し、また、光ディスク装置Ａ内のデータをホストコンピュータＨに送信する機能を持つ論理回路およびファームウェアとして構成される。
【００３０】
コマンド解析実行手段４は、通信部２が受信したデータ列を解析して、コマンドとして認識し、コマンドの種類に応じた所定の処理を、制御部１内の各手段に実行させるファームウェアとして構成される。また、コマンド解析実行手段４は、各手段が処理を行った結果、ホストコンピュータＨに送信すべきデータが発生した場合は、そのデータを、所定の形式のデータ列にして、通信部２を介してホストコンピュータＨへ送信する。
なお、本第一の実施の形態においては、コマンド解析実行手段４が解析および実行するコマンドは、データ書き込みコマンドとデータ読み出しコマンドとの二つのみを記述しているが、コマンドの種類はこれに限定されず、より多数のコマンドを解析可能に構成できる。
【００３１】
光ディスク装置Ａの前記データ書き込みコマンドは、光ディスクＤに、いわゆるディスク・アット・ワンスで、データを書き込むことを指示するコマンドである。本第一の実施の形態の光ディスク装置Ａにおいては、前記データ書き込みコマンドは、光ディスクＤへのデータの記録密度を指定可能に構成される。記録密度とは、記録溝の単位長さに対する、データ（ピット）の記録数のことである。前記データ書き込みコマンドは、光ディスクＤの記録溝に予め記録されたＡＴＩＰアドレスやＡＤＩＰアドレス等のプリフォーマット情報によって定められた記録密度に対して、何倍の記録密度でデータ（ピット）を記録するかを指定することができる。なお、プリフォーマット情報によって定められた記録密度に対して１倍の記録密度を指定すれば、従来と同様、光ディスクＤに予め定められた記録密度でデータを記録することもできる。
また、前記データ読み出しコマンドは、光ディスクＤに書き込まれているデータを読み出すことを指示するコマンドである。
【００３２】
データ書き込み手段１２は、ファームウェアとして構成され、コマンド解析実行手段４が前記データ書き込みコマンドを解析した際に、コマンド解析実行手段４によって起動される。
データ書き込み手段１２は、データ書き込みコマンドで指定された記録密度で、データ書込みコマンドで指定されたデータを、サーボドライバ１８を介して光ディスクＤに書き込む。この書き込み方法については後述する。
【００３３】
位置情報判定手段１０は、ファームウェアとして構成され、ユーザーによって光ディスクＤが光ディスク装置Ａに挿入されて、ディスク保持手段２２に保持される度に起動される。
位置情報判定手段１０は、サーボドライバ１８を介して光ディスクＤの記録溝の所定位置のプリフォーマット情報とサブコードとを読み出し、各々に含まれる位置情報（時間情報）が一致しているか、あるいはずれがあるかを判定する。また、後述するデータ読み出し手段８からの問い合わせに応じて、判定結果をデータ読み出し手段８に通知する。
【００３４】
データ読み出し手段８は、ファームウェアとして構成され、コマンド解析実行手段４が前記データ読み出しコマンドを解析した際に、コマンド解析実行手段４によって起動される。
データ読み出し手段８は、データ読み出しコマンドで指定された、光ディスクＤ上のデータ（トラック）を読み出し、読み出したデータを、コマンド解析実行手段４および通信部２を介してホストコンピュータＨに送信する。光ディスクＤからのデータの読み出し方法は、位置情報判定手段１０への問い合わせの結果、プリフォーマット情報の位置情報とサブコードの位置情報との間にずれがあるか否かによって異なる。このデータの読み出し方法については後述する。
【００３５】
ウォブルＣＬＶ制御手段３２は、ファームウェアとして構成され、光ディスクＤを、ウォブル信号に基づいてＣＬＶ制御する。即ち、ウォブルＣＬＶ制御手段３２は、モータドライバ２６およびスピンドルモータ２４を介して光ディスクＤを回転させて、ピックアップドライバ３０およびピックアップ２８を介して読み取ったウォブルの周期が所定周期となるように、光ディスクＤの回転速度を制御する。
ウォブルの周期が所定周期となるように制御するためには、その所定周期のクロック信号を生成して、ウォブル信号とそのクロック信号の周期を比較して、ウォブル信号の周期の方が長い場合には、光ディスクＤの回転線速度を上げ、ウォブル信号の方が短い場合には、光ディスクＤの回転線速度を下げて、ウォブル信号の周期とクロック信号の周期とが一致するよう制御すればよい。また、前記所定周期を変更したい場合には、クロック信号を生成する回路の分周比を変更して、クロック信号の周期を変更すればよい。
【００３６】
次に、光ディスク装置Ａが、光ディスクＤにデータを書き込む際の動作について説明する。
【００３７】
コマンド解析実行手段４が、通信部２を介してホストコンピュータＨから送信されてきたデータ書き込みコマンドを解析すると、コマンド解析実行手段４は、データ書き込み手段１２にデータ書き込み命令を発行してデータ書き込み手段１２を起動させる。
【００３８】
（ウォブルＣＬＶ制御ステップ）
データ書き込み手段１２は、図２のフローチャートのステップ１に示すように、前記データ書き込み命令によって起動されると、サーボドライバ１８に、光ディスクの標準線速度（いわゆる１倍速）でのＣＬＶ制御命令を行う。
サーボドライバ１８のウォブルＣＬＶ制御手段３２は、このＣＬＶ制御命令を受けると、モータドライバ２６を介して光ディスクＤを回転させて、ピックアップドライバ３０を介して読み取ったウォブルの周期（ウォブル信号の周期）が、標準線速度（いわゆる１倍速）を表す所定周期となるように、光ディスクＤの回転速度を制御する（なお、本実施の形態の場合、標準線速度でのウォブル信号周波数は２２．０５ｋＨｚであるから、この所定周期は、（１／２２．０５ｋＨｚ）ｓ＝約４４．４４μｓとなる）。即ち、ウォブルＣＬＶ制御手段３２は、ウォブル信号に基づくＣＬＶ制御を行う。
【００３９】
（データ書き込みステップ）
続いて、データ書き込み手段４は、図２のステップ２に示すように、光ディスクＤの標準線速度におけるウォブル信号の周期（約４４．４４μｓ）に対応するデータの記録周期をデータ書き込み命令で指定された記録密度の倍数で割ることで求められる記録周期で、ホストコンピュータＨから通信部２およびコマンド解析実行手段４を介して受信したデータを、サーボドライバ１８を介して、光ディスクＤに書き込む。例えば、データ書き込み命令で記録密度を１．２５倍とするよう指定された場合は、標準線速度における記録周期を１．２５で割った記録周期（即ち、１．２５倍の周波数）の記録信号で、光ディスクＤにデータを書き込む。
【００４０】
このように、標準線速度で回転する光ディスクＤに、標準の記録周期を指定倍率（１．２５）で割った周期の（即ち標準の１．２５倍の周波数の）書き込み信号でデータを書き込むことで、光ディスクＤにその指定倍率（１．２５）倍の記録密度でデータを書き込むことができる。即ち、光ディスクＤに、プリフォーマット情報によって定められる記録密度とは異なる密度（１．２５倍の高密度）で、データを書き込むことができる。これにより、プリフォーマット情報によって定められる記録容量よりも大容量のデータを、光ディスクＤに書き込むことができる。
【００４１】
もちろん、上記指定倍率は、１．２５倍に限らず、任意の倍率を指定することができる。
また、指定倍率を１とすれば、標準の記録周期での書き込みが行われ、従来の光ディスクと同様の記録密度での書き込みを行うことができる。
また、倍率を１未満の正数とすれば、記録信号の周期は標準の記録信号よりも長く（即ち、記録信号周波数が高く）なり、標準の記録密度よりも低密度にデータを書き込むことができる。この場合、光ディスクＤの記録容量は減るものの、標準の記録密度に比較して、ピット密度を低くすることができるため、ピットの形成がより確実に行え、また、光ディスクＤの読み出し時には、ピットの誤読が減るなど、標準に比較して光ディスクＤの記録品位および読み出し品位を向上させることが可能となる。
【００４２】
なお、上記ウォブルＣＬＶ制御ステップにおいては、光ディスクＤを標準線速度（いわゆる１倍速）で回転させているが、光ディスクＤの回転線速度は１倍速に限らず、例えば２倍速、４倍速、８倍速・・等、任意の速度で回転させてよい。この場合、ウォブル信号の周期は、それに応じて１／２倍、１／４倍、１／８倍・・となるから、データの記録周期も、上記指定倍率（例えば１．２５）で割った上で、ウォブル信号の周期に応じて１／２倍、１／４倍、１／８倍・・（即ち記録信号の周波数を２倍、４倍、８倍・・）にすればよい。
【００４３】
また、上記光ディスク装置Ａのデータ書き込み手段４および光ディスクの書き込み方法においては、光ディスクＤを標準線速度で回転させて、記録信号の周期を、データ書き込みコマンドの指定倍率に応じて変更する方法を採用しているが、本発明に係る光ディスク装置Ａのデータ書き込み手段４および光ディスクの書き込み方法は、それに限定されず、ウォブル信号の周期に対して、その周期から定められるデータの記録周期とは異なった記録周期で光ディスクＤにデータを書き込むものを全て含む。
【００４４】
例えば、図３のフローチャートに示すデータ書き込み手段４の処理において、ステップ１１（ウォブルＣＬＶ制御ステップ）で、光ディスクＤの回転速度を、標準線速度を前記指定倍率で割った線速度とし、続くステップ１２（データ書き込みステップ）で、光ディスクＤを標準線速度で回転させた時のウォブル信号の周期から定められるデータの記録周期でデータを書き込むよう構成すればよい。これによれば、前記指定倍率が１．２５の場合、光ディスクＤの回転線速度が１／１．２５倍（＝０．８倍）に遅くなり、それに対して標準時の記録信号の周期で書き込みを行うため、標準に対して１．２５倍の高密度でデータを書き込むことができる。
光ディスクＤの回転線速度を、例えば０．８倍にするためには、ウォブル信号の周期と比較する前記クロック信号の分周比を変更して、そのクロック信号の周期を、標準線速度におけるウォブル信号の周期（約４４．４４μｓ）の１．２５倍とすればよい。
【００４５】
ここで、本発明に係る光ディスク装置Ａ（光ディスクの書き込み方法）によってデータが高密度（または低密度）に書き込まれた光ディスクＤは、ウォブルの波長によって表現されたプリフォーマット情報を無視してデータが書き込まれているため、プリフォーマット情報により表される位置情報と、サブコードに含まれる位置情報とが所定の割合でずれて、データが記録されている。図４に、本発明に係る光ディスク装置Ａ（光ディスクの書き込み方法）によって、データが標準の１．２５倍の高密度で書き込まれた光ディスクＤの記録溝上の、プリフォーマット情報の位置情報とサブコードの位置情報の両者の記録位置の関係を、模式的に示す。この様に、本発明に係る光ディスク装置Ａ（光ディスクの書き込み方法）によってデータ書き込まれた光ディスクＤは、記録溝上の同一個所における、プリフォーマット情報の位置情報とサブコードの位置情報とが一致せず、所定の割合でずれている。
【００４６】
ところで、従来、ＣＤ−ＲやＣＤ−ＲＷ等の書き込み可能な光ディスクから、書き込まれたデータを読み出す光ディスクの読み出し方法においては、プリフォーマット情報に基づいて、書き込まれたデータの記録溝上の位置を認識して、データを読み出している。
【００４７】
しかしながら、本発明に係る光ディスク装置Ａ（光ディスクの書き込み方法）によってデータが高密度（または低密度）に書き込まれた光ディスクＤは、上述の通り、プリフォーマット情報の位置情報と、サブコードの位置情報とが一致していないため、プリフォーマット情報に基づいてデータの位置を認識する従来の読み出し方法では、データの読み出しが行えなかったり、プリフォーマット情報に基づくピックアップ位置のジャンプにおいて、ジャンプ先の位置と、読み出したいデータの位置との誤差が大きく、ジャンプ後に、サブコードの位置情報に基づいて読み出すデータにピックアップを移動させるまでに時間が掛かったりするという問題が発生する。
そこで、本発明に係る光ディスク装置Ａ（光ディスクの書き込み方法）によってデータが高密度（または低密度）に書き込まれた光ディスクＤから、正常かつ迅速にデータを読み出すことのできる、光ディスクの読み出し方法を、光ディスク装置Ａが光ディスクＤからデータを読み出す際の動作に沿って、以下に説明する。
【００４８】
（位置情報判定ステップ）
図５のフローチャートに示すように、光ディスクＤが光ディスク装置Ａに挿入されてディスク保持手段２２に保持されると、位置情報判定手段１０が起動される。位置情報判定手段１０は、サーボドライバ１８を介して、光ディスクＤの記録溝上の所定位置、例えば記録溝全体の中間点の、プリフォーマット情報とサブコードとを読み出す（ステップ２１）。続いて、その所定位置のプリフォーマット情報の位置情報とサブコードの位置情報とを比較し、判定結果、即ち一致・不一致の別を、ＲＡＭ等の記憶手段に記憶する（ステップ２２）。
【００４９】
その後、光ディスク装置Ａは、ホストコンピュータＨからコマンドを受け付け可能なコマンド待機状態となる。
光ディスク装置Ａの前記コマンド待機状態において、ホストコンピュータＨからデータ読み出しコマンドが通信部２を介して送信されてきて、コマンド解析実行手段４が、そのデータ読み出しコマンドを解析すると、コマンド解析実行手段４は、データ読み出し手段８にデータ読み出し命令を発行してデータ読み出し手段８を起動させる。
【００５０】
（データ読み出しステップ）
データ読み出し手段８は、前記データ読み出し命令によって起動されると、図６のフローチャートのステップ３１に示すように、位置情報判定手段１０に、光ディスクＤの、プリフォーマット情報の位置情報と、サブコードの位置情報との一致・不一致の別を問い合わせる。位置情報判定手段１０は、記憶手段に記憶した上記判定結果に基づいて、一致・不一致の別をデータ読み出し手段８に通知する。データ読み出し手段８は、両位置情報を比較し（ステップ３２）、両位置情報が一致する場合には、光ディスクＤ上のデータがプリフォーマット情報によって定められる記録密度で書き込まれているものと判断して、プリフォーマット情報の位置情報に基づいて（なお、ＨＦ信号を併用してもよい）、データを読み出す（ステップ３３）。一方、前記両位置情報が不一致の場合には、光ディスクＤ上のデータが、プリフォーマット情報によって定められる記録密度とは異なる記録密度で書き込まれているものと判断して、光ディスクから読み取られるＨＦ信号に基づいて、データを読み出す（ステップ３４）。
続いて、データ読み出し手段８は、読み出したデータを、コマンド解析実行手段４および通信部２を介して、ホストコンピュータＨに送信する（ステップ３５）。
【００５１】
ＨＦ信号は、プリフォーマット情報とは関係なく、書き込まれたデータ（ピット）から直接読み取られる信号であるため、ＨＦ信号に基づいてデータを読み出すことで、書き込まれたデータを正常に読み出すことができる。従って、プリフォーマット情報によって定められる記録密度とは異なる記録密度でデータが書き込まれることで、記録溝上の同一個所におけるプリフォーマット情報の位置情報とサブコードの位置情報とが一致しない光ディスクＤのデータは、プリフォーマット情報を参照せずに、ＨＦ信号に基づいて読み出せば、データが読み出せないといった問題や、プリフォーマット情報に基づくピックアップのジャンプ後に、読み出すデータにピックアップを移動させるまでに時間が掛かるといった問題が発生することがない。
【００５２】
なお、本第一の実施の形態においては、光ディスク装置Ａに挿入された光ディスクＤに、プリフォーマット情報によって定められる記録密度とは異なる記録密度でデータが書き込まれているか否かを判断するために、本願請求項６（請求項１１）に記載した前記位置情報判定手段１０（位置情報判断ステップ）を採用したが、その判断は、別の手段（方法）によっても行うことができる。
この別の手段（方法）としては、本願請求項７および請求項１２、または請求項８および請求項１３に記載された手段（方法）を採用することができる。以下、それらの手段（方法）を採用した第二および第三の実施の形態について説明する。なお、第二および第三の実施の形態において、第一の実施の形態と共通の構成については、同じ符号を付して説明を省略する。
【００５３】
（第二の実施の形態）
本願請求項７および請求項１２に記載された発明に対応する第二の実施の形態について説明する。
図７に示すように、本第二の実施の形態に係る光ディスク装置Ｂにおいては、先の第一の実施の形態に係る光ディスク装置Ａの構成に加え、サーボドライバ１８内に、光ディスクＤを回転させて読み取った、光ディスクＤに書き込まれたデータのＨＦ信号の周期が、一定の周期となるように、光ディスクＤの回転速度を制御するＨＦ信号ＣＬＶ制御手段３３を備える。さらに、前記位置情報判定手段１０に替わって、ウォブルＣＬＶ制御手段３２で、ウォブルの周期が所定周期となるよう回転制御した際の光ディスクＤの線速度と、ＨＦ信号ＣＬＶ制御手段３３で、ＨＦ信号の周期が前記所定周期と一致するよう回転制御した際の光ディスクＤの線速度とが、一致するか否かを判定する線速度判定手段１４を備える。データ読み出し手段８は、線速度判定手段１４に、両線速度が一致したか否かを問い合わせ、一致した場合にはプリフォーマット情報に基づいて（なお、ＨＦ信号を併用してもよい）、一致しなかった場合には、ＨＦ信号に基づいて、データを読み出すよう構成される。
【００５４】
光ディスク装置Ｂによるデータの読み出し方法においては、光ディスクＤが挿入された際に、ウォブルＣＬＶ制御手段３２を起動させて、ウォブル信号が所定周期となるよう、光ディスクＤをＣＬＶ制御する（ウォブル信号ＣＬＶ制御ステップ）。また、ＨＦ信号ＣＬＶ制御手段３３を起動させて、ＨＦ信号が前記所定周期と一致するよう、光ディスクＤをＣＬＶ制御する（ＨＦ信号ＣＬＶ制御ステップ）。なお、ウォブル信号ＣＬＶ制御ステップとＨＦ信号ＣＬＶ制御ステップとは、前記所定周期が両者で共通していれば良く、両処理の時系列関係は前後しても構わない。続いて、線速度判定手段１４が、両ＣＬＶ制御における両線速度が一致するか否かを判定し（線速度判定ステップ）、判定結果をＲＡＭ等の記憶手段に記憶しておく。
その後、光ディスク装置Ｂがデータ読み出しコマンドを受信してデータ読み出し手段８が起動されると、データ読み出し手段８は、線速度判定手段１４に判定結果を問い合わせ、両線速度が一致していた場合は、プリフォーマット情報に基づいて（なお、ＨＦ信号を併用してもよい）、一致していなかった場合は、ＨＦ信号に基づいて、データを読み出す。
【００５５】
光ディスクＤを同一の線速度で回転させた場合、光ディスクＤに書き込まれたデータが、ウォブルの波長によって表現されたプリフォーマット情報によって定められる記録密度で書き込まれている従来の光ディスクでは、ウォブル信号とＨＦ信号の周期が一致しており、一方、プリフォーマット情報（ウォブルの波長）を無視してデータが書き込まれた本発明の光ディスクＤでは、ウォブル信号とＨＦ信号の周期が一致しない。従って、ウォブル信号の周期とＨＦ信号の周期が同じくなるようにＣＬＶ制御した際の、両者の線速度の一致・不一致を判定することで、光ディスクＤに書き込まれたデータの記録密度が、プリフォーマット情報（ウォブル）によって定められる記録密度で書き込まれているか否かを判定することができるのである。
【００５６】
（第三の実施の形態）
本願請求項８および請求項１３に記載された発明に対応する第三の実施の形態について説明する。
図８に示すように、本第三の実施の形態に係る光ディスク装置Ｃにおいては、先の第一の実施の形態に係る光ディスク装置Ａの構成に加え、サーボドライバ１８内に、光ディスクＤを所定の一定角速度で回転制御するＣＡＶ制御手段３４と、ＣＡＶ制御手段３４で所定の角速度で回転された光ディスクＤの記録溝の所定位置のウォブル信号の周期を測定して、その周期をＲＡＭ等の記憶手段に記憶するウォブル周期測定手段３６と、ＣＡＶ制御手段３４で前記所定の角速度と同じ角速度で回転された光ディスクＤの記録溝の前記所定位置と同じ位置のＨＦ信号の周期を測定して、その周期をＲＡＭ等の記憶手段に記憶するＨＦ信号周期測定手段３７とを備える。さらに、前記位置情報判定手段１０に替わって、ウォブル周期測定手段３６によって測定したウォブルの周期と、ＨＦ信号周期測定手段３７によって測定されたＨＦ信号の周期とが、一致するか否かを判定する信号周期判定手段１６を備える。データ読み出し手段８は、信号周期判定手段１６に、両周期が一致したか否かを問い合わせ、一致した場合にはプリフォーマット情報に基づいて（なお、ＨＦ信号を併用してもよい）、一致しなかった場合には、ＨＦ信号に基づいて、データを読み出すよう構成される。
【００５７】
光ディスク装置Ｃによるデータの読み出し方法においては、光ディスクＤが挿入された際に、ＣＡＶ制御手段３４を起動させて、光ディスクＤを一定の角速度でＣＡＶ制御する（ＣＡＶ制御ステップ）。続いて、ウォブル周期測定手段３６を起動させて、光ディスクＤの記録溝の所定位置のウォブル信号の周期を測定して（ウォブル周期測定ステップ）、測定結果の周期を記憶手段に記憶しておく。続いて、ＨＦ信号周期測定手段３７を起動させて、光ディスクＤの記録溝の前記所定位置と同じ位置のＨＦ信号の周期を測定して（ＨＦ信号周期測定ステップ）、測定結果の周期を記憶手段に記憶しておく。なお、ウォブル周期測定ステップとＨＦ信号周期測定ステップとは、ＣＡＶ制御手段３４による光ディスクＤの角速度と、前記所定位置が両者で共通していれば良く、処理の時系列関係は前後しても構わない。続いて、信号周期判定手段１６が、前記記憶手段に記憶されたウォブルの周期およびＨＦ信号の周期が一致するか否かを判定し（信号周期判定ステップ）、判定結果をＲＡＭ等の記憶手段に記憶しておく。
その後、光ディスク装置Ｃがデータ読み出しコマンドを受信してデータ読み出し手段８が起動されると、データ読み出し手段８は、信号周期判定手段１６に判定結果を問い合わせ、両周期が一致していた場合は、プリフォーマット情報に基づいて（なお、ＨＦ信号を併用してもよい）、一致していなかった場合は、ＨＦ信号に基づいて、データを読み出す。
【００５８】
光ディスクＤを同一の角速度で回転させた場合、光ディスクＤに書き込まれたデータが、ウォブルの波長によって表現されたプリフォーマット情報によって定められる記録密度で書き込まれている従来の光ディスクでは、ウォブル信号とＨＦ信号の周期が一致しており、プリフォーマット情報（ウォブルの波長）を無視してデータが書き込まれた本発明の光ディスクＤでは、ウォブル信号とＨＦ信号の周期が一致しない。従って、ウォブル信号の周期とＨＦ信号の周期が同じくなるようにＣＡＶ制御した際の、両者の周期の一致・不一致を判定することで、光ディスクＤに書き込まれたデータの記録密度が、プリフォーマット情報（ウォブル）によって定められる記録密度で書き込まれているか否かを判定することができるのである。
【００５９】
なお、上記第一から第三の実施の形態の光ディスク装置ＡからＣは、ホストコンピュータＨに接続されるものを示したが、本発明はこれに限定されず、音楽用ＣＤプレーヤや音楽用ＣＤ−Ｒレコーダや映像再生用ＤＶＤプレーヤ等の様に、単体で動作する光ディスク装置も含まれる。この場合、前記データ読み出しコマンドやデータ書き込みコマンドは、再生ボタンや録音ボタン等の操作に置き換えればよい。
【００６０】
【発明の効果】
本発明に係る光ディスク、光ディスク装置、光ディスクの書き込み方法および光ディスクの読み出し方法によれば、光ディスクに定められた記憶容量より大容量のデータを書き込むことが可能であり、また、その光ディスクからデータを好適に読み出すことができるという効果を奏する。
【図面の簡単な説明】
【図１】第一の実施の形態に係る光ディスク装置の内部構成を表すブロック図である。
【図２】データ書き込み手段の処理を示すフローチャートである。
【図３】データ書き込み手段の処理（別例）を示すフローチャートである。
【図４】データが標準より高密度で書き込まれた光ディスクの記録溝上の、プリフォーマット情報の位置情報とサブコードの位置情報の記録位置の関係を表す説明図である。
【図５】位置情報判定手段の処理を示すフローチャートである。
【図６】データ読み出し手段の処理を示すフローチャートである。
【図７】第二の実施の形態に係る光ディスク装置の内部構成を表すブロック図である。
【図８】第三の実施の形態に係る光ディスク装置の内部構成を表すブロック図である。
【図９】記録溝に形成されたウォブルを示す説明図である。
【符号の説明】
Ａ，Ｂ，Ｃ  光ディスク装置
Ｄ  光ディスク
Ｈ  ホストコンピュータ
１  制御部
２  通信部
４  コマンド解析実行手段
８  データ読み出し手段
１０  位置情報判定手段
１２  データ書き込み手段
１４  線速度判定手段
１６  信号周期判定手段
１８  サーボドライバ
２２  ディスク保持手段
２４  スピンドルモータ
２６  モータドライバ
２８  ピックアップ
３０  ピックアップドライバ
３２  ウォブルＣＬＶ制御手段
３３  ＨＦ信号ＣＬＶ制御手段
３４  ＣＡＶ制御手段
３６  ウォブル周期測定手段
３７  ＨＦ信号周期測定手段
【図１】
2004246950.tif 000003
【図２】
2004246950.tif 000004
【図３】
2004246950.tif 000005
【図４】
2004246950.tif 000006
【図５】
2004246950.tif 000007
【図６】
2004246950.tif 000008
【図７】
2004246950.tif 000009
【図８】
2004246950.tif 000010
【図９】
2004246950.tif 000011